(57)【要約】【課題】全体を交換しなくても機能を変更することができるようにしながらも、通電された状態の接続手段が露出することのない通話端末を提供する。【解決手段】通話端末Ａは本体モジュールＢと露出パネルＣとに分割される。本体モジュールＢは、モジュール側接触端子への通電を入切する電源スイッチＳＷを操作部５０が前面側に露出する形で有する。露出パネルＣの背面側における電源スイッチＳＷとの対向部位には、電源スイッチＳＷをオンオフ操作する電源操作部５１を有する。露出パネルＣを本体モジュールＢに装着した状態では、電源操作部５１が操作部５０をスイッチ用孔４１内に押し込むことで電源スイッチＳＷがオンし、一方、露出パネルＣを本体モジュールＢから脱着した状態では、電源操作部５１による操作部５０の押操作が解除され電源スイッチＳＷがオフする。【選択図】図１
2008178077.tif 000002
【特許請求の範囲】
【請求項１】
壁に取り付けられ相手側端末との間で通話が可能な通話端末であって、壁に固定される本体モジュールと、本体モジュールの前面側に着脱可能に装着され、本体モジュールに装着された状態で本体モジュールに設けられた接続手段から電力供給を受ける露出パネルとを備え、本体モジュールは、接続手段への通電を入切する電源スイッチを少なくとも当該電源スイッチの操作部を前面側に露出させる形で有し、露出パネルの背面側における電源スイッチとの対向部位には、露出パネルを本体モジュールに装着した状態で電源スイッチをオンすることができ、露出パネルを本体モジュールから脱着することで電源スイッチをオフにする電源操作手段が設けられていることを特徴とする通話端末。
【請求項２】
前記本体モジュールは、壁内に後部を収める形で壁に固定される埋込モジュールからなることを特徴とする請求項１記載の通話端末。
【請求項３】
前記電源スイッチはモーメンタリ型の押釦スイッチであって、前記電源操作手段は、前記露出パネルを前記本体モジュールに装着することで電源スイッチの操作部を押圧することを特徴とする請求項１または請求項２に記載の通話端末。
【請求項４】
前記電源スイッチは前記本体モジュールの前面に沿う面内でスライドするスライドスイッチであって、前記電源操作手段は電源スイッチの操作部に凹凸嵌合し、前記露出パネルは、本体モジュールの前面に沿って電源スイッチをオンさせる方向にスライドさせられることで本体モジュールに装着され、本体モジュールの前面に沿って電源スイッチをオフさせる方向にスライドさせられることで本体モジュールから脱着されることを特徴とする請求項１または請求項２に記載の通話端末。
【請求項５】
前記電源スイッチはモーメンタリ型の押釦スイッチであって、前記電源操作手段は、前記露出パネルのうち前記本体モジュールへの取付構造を具備したパネル本体とは別体であって、露出パネルを本体モジュールに装着した状態で電源スイッチの操作部を押圧する位置と押圧しない位置との間でパネル本体に対して移動するように操作され、少なくとも電源スイッチの操作部を押圧する位置に保持されることを特徴とする請求項１または請求項２に記載の通話端末。
【請求項６】
前記電源スイッチは前記本体モジュールの前面に沿う面内でスライドするスライドスイッチであって、前記電源操作手段は、前記露出パネルのうち本体モジュールへの取付構造を具備したパネル本体とは別体であって、電源スイッチの操作部に凹凸嵌合し、露出パネルを本体モジュールに装着した状態で本体モジュールの前面に沿って電源スイッチをオンする位置とオフする位置との間でパネル本体に対して移動するように操作され、露出パネルを本体モジュールから脱着するときには電源スイッチをオフする位置に移動することを特徴とする請求項１または請求項２に記載の通話端末。
【請求項７】
前記露出パネルの背面側には、前記本体モジュールに露出パネルが装着されることで本体モジュールの前記接続手段と電気的に接続される接続手段が設けられており、本体モジュールは、前面が矩形状であって、露出パネルを装着する際に露出パネルの一部に引っ掛かることで前面の一辺周りの露出パネルの回転の支点となる支点部を前面側に有し、接続手段は、本体モジュールの前面において前記一辺寄りに配設され、前記電源スイッチは、本体モジュールの前面において前記一辺と対向する他辺寄りに配設されていることを特徴とする請求項３記載の通話端末。
【発明の詳細な説明】
【技術分野】
【０００１】
本発明は、壁に取り付けられ相手側端末との間で通話が可能な通話端末に関するものである。
【背景技術】
【０００２】
従来から、この種の通話端末として、たとえば宅外に設置された相手側端末としての子機端末（ドアホン子機）に対して信号線を用いて接続されることによりインターホンシステムを構築し、相手側端末との間で通話可能となるもの（インターホン親機）などが提供されている。
【０００３】
また、近年では、壁面からの器体の突出量を小さく抑えために、壁内に器体の後部が埋め込まれた形で取り付けられる埋込型の通話端末も提案されている（たとえば特許文献１参照）。
【０００４】
特許文献１に記載の通話端末においては、他の埋込型の配線器具との外観上の統一感を出すとともに、取り付けに用いる部材の低コスト化を図るために、一般に普及している埋込型の配線器具用のスイッチボックスを用いて壁に取付可能としてある。すなわち、通話端末の器体の後部をスイッチボックス内に収める形で、スイッチボックスに設けたねじ孔に螺合する取付ねじを用いて通話端末をスイッチボックスに固定する。ここで、特許文献１の通話端末においては、取付ねじ用の取付孔が器体に設けられており、器体をスイッチボックスに直接固定できるから、埋込型の配線器具をスイッチボックスに固定するために用いられる取付枠が不要である。
【特許文献１】特開平６−２９１８１８号公報
【発明の開示】
【発明が解決しようとする課題】
【０００５】
ところで、上述した通話端末では、相手側端末との間で通話を可能とするための内部回路が全て１つの器体内に収納されており、そのため、通話端末の機能を一部でも変更する場合には、通話端末全体を交換する必要がある。特に、通話端末が後部を壁内に埋め込んだ形で取り付けられている場合には、通話端末全体の交換作業は面倒である。
【０００６】
そこで、通話端末を、壁に固定される本体モジュールと、本体モジュールの前面側に着脱可能に装着され、本体モジュールに装着された状態で本体モジュールに設けられた接続手段から電力供給を受ける露出パネルとに分割し、本体モジュールと露出パネルとを個別に交換可能とすることが考えられる。しかし、この構成では、露出パネルを本体モジュールから脱着した状態においても接続手段に通電されている可能性があり、この状態で接続手段が露出することは好ましくない。
【０００７】
本発明は上記事由に鑑みて為されたものであって、全体を交換しなくても機能を変更することができるようにしながらも、通電された状態の接続手段が露出することのない通話端末を提供することを目的とする。
【課題を解決するための手段】
【０００８】
請求項１の発明は、壁に取り付けられ相手側端末との間で通話が可能な通話端末であって、壁に固定される本体モジュールと、本体モジュールの前面側に着脱可能に装着され、本体モジュールに装着された状態で本体モジュールに設けられた接続手段から電力供給を受ける露出パネルとを備え、本体モジュールが、接続手段への通電を入切する電源スイッチを少なくとも当該電源スイッチの操作部を前面側に露出させる形で有し、露出パネルの背面側における電源スイッチとの対向部位には、露出パネルを本体モジュールに装着した状態で電源スイッチをオンすることができ、露出パネルを本体モジュールから脱着することで電源スイッチをオフにする電源操作手段が設けられていることを特徴とする。
【０００９】
この構成によれば、通話端末が、本体モジュールと露出パネルとに分割されているので、本体モジュールと露出パネルとを別々に交換することができ、たとえば露出パネルの機能を変更する場合には、本体モジュールに装着する露出パネルを別の種類の露出パネルに交換するだけでよく、本体モジュール自体は交換する必要がない。したがって、通話端末全体を交換することなく、通話端末の機能を変更することができる。また、露出パネルの背面側における電源スイッチとの対向部位には、露出パネルを本体モジュールに装着した状態で電源スイッチをオンすることができ、露出パネルを本体モジュールから脱着することで電源スイッチをオフにする電源操作手段が設けられているので、露出パネルを本体モジュールから脱着した状態では電源スイッチはオフであって接続手段への通電は停止されることになる。そのため、通電された状態の接続手段が露出することはない。
【００１０】
請求項２の発明は、請求項１の発明において、前記本体モジュールが、壁内に後部を収める形で壁に固定される埋込モジュールからなることを特徴とする。
【００１１】
この構成によれば、本体モジュールの後部が壁内に収まるので、壁内に埋め込まれることなく壁面に背面を対向させる形で本体モジュールを固定する場合に比べて、本体モジュールおよび露出パネルの壁面からの突出量を小さく抑えることができる。したがって、たとえば壁面の前方に確保されている空間が比較的狭い廊下等に通話端末が設置される場合でも、通話端末が通行の邪魔になりにくいという利点がある。
【００１２】
請求項３の発明は、請求項１または請求項２の発明において、前記電源スイッチがモーメンタリ型の押釦スイッチであって、前記電源操作手段が、前記露出パネルを前記本体モジュールに装着することで電源スイッチの操作部を押圧することを特徴とする。
【００１３】
この構成によれば、電源操作手段は、露出パネルを本体モジュールに装着することで電源スイッチの操作部を押圧するので、露出パネルを本体モジュールに装着するだけで電源スイッチはオンすることになり、電源スイッチをオンする手間が省ける。
【００１４】
請求項４の発明は、請求項１または請求項２の発明において、前記電源スイッチが前記本体モジュールの前面に沿う面内でスライドするスライドスイッチであって、前記電源操作手段が電源スイッチの操作部に凹凸嵌合し、前記露出パネルが、本体モジュールの前面に沿って電源スイッチをオンさせる方向にスライドさせられることで本体モジュールに装着され、本体モジュールの前面に沿って電源スイッチをオフさせる方向にスライドさせられることで本体モジュールから脱着されることを特徴とする。
【００１５】
この構成によれば、露出パネルは本体モジュールの前面に沿って電源スイッチをオンさせる方向にスライドさせられることで本体モジュールに装着されるので、露出パネルを本体モジュールに装着するだけで電源スイッチはオンすることになり、電源スイッチをオンする手間が省ける。
【００１６】
請求項５の発明は、請求項１または請求項２の発明において、前記電源スイッチがモーメンタリ型の押釦スイッチであって、前記電源操作手段が、前記露出パネルのうち前記本体モジュールへの取付構造を具備したパネル本体とは別体であって、露出パネルを本体モジュールに装着した状態で電源スイッチの操作部を押圧する位置と押圧しない位置との間でパネル本体に対して移動するように操作され、少なくとも電源スイッチの操作部を押圧する位置に保持されることを特徴とする。
【００１７】
この構成によれば、電源操作手段をパネル本体に対して移動させることで電源スイッチをオンオフできるので、露出パネルを本体モジュールに装着した状態でも電源スイッチをオンオフ操作することができ、露出パネルを脱着しなくても必要に応じて電源スイッチをオフすることができる。また、パネル本体を移動させることで電源スイッチをオンオフする構成に比べて、本体モジュールに対するパネル本体の取付構造を自由に設計できるとい利点もある。
【００１８】
請求項６の発明は、請求項１または請求項２の発明において、前記電源スイッチが前記本体モジュールの前面に沿う面内でスライドするスライドスイッチであって、前記電源操作手段が、前記露出パネルのうち本体モジュールへの取付構造を具備したパネル本体とは別体であって、電源スイッチの操作部に凹凸嵌合し、露出パネルを本体モジュールに装着した状態で本体モジュールの前面に沿って電源スイッチをオンする位置とオフする位置との間でパネル本体に対して移動するように操作され、露出パネルを本体モジュールから脱着するときには電源スイッチをオフする位置に移動することを特徴とする。
【００１９】
この構成によれば、電源操作手段をパネル本体に対して移動させることで電源スイッチをオンオフできるので、露出パネルを本体モジュールに装着した状態でも電源スイッチをオンオフ操作することができ、露出パネルを脱着しなくても必要に応じて電源スイッチをオフすることができる。また、パネル本体を移動させることで電源スイッチをオンオフする構成に比べて、本体モジュールに対するパネル本体の取付構造を自由に設計できるとい利点もある。
【００２０】
請求項７の発明は、請求項３の発明において、前記露出パネルの背面側には、前記本体モジュールに露出パネルが装着されることで本体モジュールの前記接続手段と電気的に接続される接続手段が設けられており、本体モジュールが、前面が矩形状であって、露出パネルを装着する際に露出パネルの一部に引っ掛かることで前面の一辺周りの露出パネルの回転の支点となる支点部を前面側に有し、接続手段が、本体モジュールの前面において前記一辺寄りに配設され、前記電源スイッチが、本体モジュールの前面において前記一辺と対向する他辺寄りに配設されていることを特徴とする。
【００２１】
この構成によれば、露出パネルを本体モジュールから脱着する際に、電源操作手段により電源スイッチがオフされ接続手段への通電が停止された後で、接続手段の電気的接続が解除されるので、接続手段の電気的接続の解除時にアークが発生する等の不具合を回避できる。一方、露出パネルを本体モジュールに装着する際には、接続手段が互いに電気的に接続された後で、電源操作手段により電源スイッチがオンされ接続手段に通電が開始されるので、接続手段の接続時にアークが発生する等の不具合を回避できる。
【発明の効果】
【００２２】
本発明は、通話端末が、本体モジュールと露出パネルとに分割されているので、本体モジュールと露出パネルとを別々に交換することができ、したがって、通話端末全体を交換することなく、通話端末の機能を変更することができる。また、露出パネルを本体モジュールから脱着することで電源スイッチをオフにする電源操作手段が設けられているので、露出パネルを本体モジュールから脱着した状態では電源スイッチはオフであって接続手段への通電は停止されることとなり、通電された状態の接続手段が露出することはないという利点がある。
【発明を実施するための最良の形態】
【００２３】
以下の各実施形態では、宅内の壁に取り付けられ、宅外に設置された相手側端末としての子機端末（図示せず）に対して信号線（図示せず）を用いて接続されることによりインターホンシステムを構築し、子機端末との間で通話可能となる親機端末を通話端末の一例として、本発明の通話端末の構成を説明する。この通話端末は映像表示部を備えており、来訪者を撮像するカメラ（図示せず）が設けられた相手側端末に接続されることにより、相手側端末のカメラで撮像された映像を表示することができる。なお、子機端末は、カメラの他、操作入力が可能な操作部と、スピーカおよびマイクロフォンを具備し通話端末との通話時に音声の入出力を行う音声入出力部と、音声信号や映像信号の入出力を行う信号処理部と、信号線が接続される端子部とを有している。
【００２４】
（実施形態１）
本実施形態の通話端末Ａは、図１に示すように、壁内に後部を収める形で壁に固定される本体モジュールＢと、本体モジュールＢの前面側に着脱可能に装着される露出パネルＣとを備えている。以下では、通話端末Ａを壁に取り付けた状態での上下左右を上下左右として通話端末Ａの構成を説明する。
【００２５】
本体モジュールＢは、図２に示すように、前面に矩形状の開口部を有する箱状に形成されたボディ１と、ボディ１の前面に覆着されるカバー２とで構成される器体３を備え、回路基板に種々の電気部品が実装されてなる第１回路部４が器体３内に収納された構成を有する。さらに、本体モジュールＢは、ボディ１の後壁の２箇所に端子窓５が貫設されており、商用電源供給用の電源線（図示せず）が接続される電源端子部６（図１参照）を一方の端子窓５から器体３の外部に露出させるように備え、信号線（図示せず）が接続される信号端子部７を他方の端子窓（図示せず）から器体３の外部に露出させるように備えている。ボディ１とカバー２とは、カバー２の上下方向の各端部から後方に突出した結合片８に設けた結合孔８ａに、ボディ１の上下方向の両端面における前端部に設けた結合爪９をそれぞれ係合させることにより結合される。
【００２６】
露出パネルＣは、前面が矩形状の薄箱状に形成されたパネルケース１０を備え、種々の電気部品が実装されてなる第２回路部（図示せず）がパネルケース１０内に収納された構成を有する。さらに、露出パネルＣは、パネルケース１０の前壁の一部に透明な表示窓１１が配設されており、液晶パネルからなる映像表示部１２を表示窓１１を通して視認できるようにパネルケース１０内に備えている。ここで、パネルケース１０は、前面の左寄りの位置に表示窓１１を有しており、表示窓１１の右方には小孔が多数形成されたスピーカ取付部１３が配設されるとともに、スピーカ取付部１３の下方に操作部１４（図６参照）を構成する操作ハンドル１５が配設されている。さらに、表示窓１１の左下方にはマイク用孔１６が形成され、マイク用孔１６の右方つまり表示窓１１の下方には操作部１４を構成する押釦１７が左右方向に複数個列設されている。パネルケース１０内において、スピーカ取付部１３に対応する位置にはスピーカ１８ａ（図６参照）が設けられ、マイク用孔１６に対応する位置にはマイクロフォン１８ｂ（図６参照）が設けられ、スピーカ１８ａおよびマイクロフォン１８ｂは、相手側端末との通話時に音声の入出力を行う音声入出力部１８を構成する。なお、パネルケース１０内において各操作ハンドル１５および各押釦１７に対応する位置には、それぞれ各操作ハンドル１５および各押釦１７とともに操作部１４を構成する各種設定用のスイッチ（図示せず）や通話の開始・終了用のスイッチ（図示せず）などが設けられる。
【００２７】
ところで、本実施形態の本体モジュールＢは、図３に示すように、壁内に設置された埋込型の配線器具用のスイッチボックスＳＢを用いて壁に取り付けられる。スイッチボックスＳＢは、前面に取付窓が開口した箱状に形成されており、上下方向に対向する一対の内側面には、それぞれ本体モジュールＢをスイッチボックスＳＢに固定する取付ねじ（図示せず）用のねじ孔２１を有した器具固定突起２２が複数個ずつ突設されている。ここで、器具固定突起２２はスイッチボックスＳＢの取付窓からねじ孔２１が前方に露出するように、スイッチボックスＳＢの取付窓内に設けられる。壁面を構成する壁材ＷにおいてスイッチボックスＳＢに対応する部分には矩形状の施工孔２３が開設される。施工孔２３は、スイッチボックスＳＢの取付窓より小さく、且つ器具固定突起２２に設けたねじ孔２１を全て露出させる大きさに形成される。
【００２８】
本体モジュールＢは、この施工孔２３を通して前方からスイッチボックスＳＢに取り付けられるのであって、器体３の後部をスイッチボックスＳＢ内に収納可能な形状および寸法に形成されている。また、本実施形態では、器体３は１連用の取付枠（図示せず）を２個まで取付可能なスイッチボックスＳＢに対応する大きさに形成されている。ここでいう１連用の取付枠とは、「ＪＩＳ  Ｃ８３７５」で規格化されている３個用の取付枠を意味しており、以下では、１連用の取付枠が左右方向に２個連接された寸法を「２連用」、３個連接された寸法を「３連用」と呼ぶ。すなわち、本実施形態の本体モジュールＢは、上下方向に対向する一対の内側面にそれぞれ器具固定突起２２が２個ずつ設けられた２連用のスイッチボックスＳＢに取付可能な寸法に設定される。
【００２９】
具体的に説明すると、カバー２は、前面側における上下方向の各端縁のそれぞれから互いに離れる向きに延設された一対の取付板２４を連続一体に有する。一対の取付板２４は、カバー２の左右方向の略全長にわたって形成される。各取付板２４には、埋込型の配線器具をスイッチボックスＳＢに固定する際に用いられる取付枠と同様に、取付ねじを挿通するボックス用孔２５がそれぞれ複数個（ここでは２個）ずつ形成され、かつ上下方向においてボックス用孔２５より外側（つまり上側の取付板２４においては上方、下側の取付板２４においては下方）の部位には、後述する化粧プレートＰを固定する固定ねじ（図示せず）用のプレート用孔２６が複数個（ここでは２個）ずつ形成されている。なお、各取付板２４はカバー２に比較して前方に突出している。さらに、各取付板２４のうち各ボックス用孔２５の周囲は取付板２４における他の部位よりも厚肉に形成されており、取付ねじを締め付けた際の器体３の変形を抑制するようにボックス用孔２５の周囲を補強している。
【００３０】
ここにおいて、本体モジュールＢと露出パネルＣとのそれぞれには、互いに係合することで本体モジュールＢに露出パネルＣを装着する取付手段が設けられている。本体モジュールＢにおいては、図４（ｂ），（ｃ）に示すように下側の取付板２４の前面から突出した鉤片２７と、図５（ａ），（ｂ）に示すように上側の取付板２４に設けた係合孔２８とが取付手段として設けられている。鉤片２７は、取付板２４の前面から前方に突出し、先端部が上方に延長されることによりＬ字状に形成されており、左右方向に複数個（ここでは３個）並設される形に設けられている。係合孔２８は、取付板２４における左右方向の各端部を切り欠くことで形成されている。
【００３１】
露出パネルＣにおいては、背面側の下端部であって各鉤片２７に対応する位置にそれぞれ形成され鉤片２７の先端部が挿入されることで鉤片２７に引っ掛かる引掛穴２９（図４参照）と、背面側の上端部であって各係合孔２８に対応する位置にそれぞれ突設され先端部が互いに近づく向きに延長されることによりＬ字状に形成された一対の係合爪１９（図５参照）とが取付手段として設けられている。この構成により、本体モジュールＢの鉤片２７の先端部を露出パネルＣの引掛穴２９に挿入した状態で、露出パネルＣの上端部を本体モジュールＢ側に押し付けて露出パネルＣの係合爪１９を本体モジュールＢの係合孔２８に係合させれば、露出パネルＣが本体モジュールＢに装着されることとなる。
【００３２】
一方、通話端末ＡをスイッチボックスＳＢに取り付けただけの状態では、施工孔２３内において通話端末Ａと壁材Ｗとの間に隙間が生じることになる。そこで、埋込型の配線器具用の化粧プレートＰが通話端末Ａに取り付けられる。化粧プレートＰは、図３に示すように、露出パネルＣの周囲を包囲する枠状のプレート枠３０、およびプレート枠３０の前面側に取着される化粧カバー３１とで構成される。プレート枠３０は取付板２４に設けたプレート用孔２６に固定ねじを螺合させることにより固定され、化粧カバー３１は背面に突設された係止爪（図示せず）をプレート枠３０に設けられた係止穴（図示せず）に係止させることによりプレート枠３０に取り付けられる。これにより、施工孔２３は通話端末Ａおよび化粧プレートＰによって塞がれることになる。ここでは３連用の化粧プレートＰを用いている。なお、本実施形態では、壁面からの露出パネルＣの前面の突出高さを壁面からの化粧プレートＰの突出高さに揃えるように、壁面からの通話端末Ａの突出量を設定している。
【００３３】
また、露出パネルＣは前面が３連用のスイッチボックスＳＢに取付可能な配線器具と同等の大きさに形成されている。露出パネルＣは、パネルケース１０の上下方向の各端部が、それぞれ背面側を凹ませることで他部よりも前後方向に薄く形成されたプレート部３２（図４参照）を構成している。各プレート部３２は、パネルケース１０の左右方向の略全長にわたって形成され、本体モジュールＢに露出パネルＣを装着した状態で本体モジュールＢの取付板２４に突き合わされる。したがって、本体モジュールＢに露出パネルＣを装着した状態では、プレート部３２が取付ねじの前面側を覆うことになる。ただし、プレート用孔２６については本体モジュールＢに露出パネルＣを装着した状態でも前方に露出するように、露出パネルＣは本体モジュールＢの前面に比較して上下方向の寸法が小さく設定されている。
【００３４】
ところで、通話端末Ａにおいて相手側端末との間で通話を可能とするための内部回路は、本体モジュールＢ内の上記第１回路部４と露出パネルＣ内の上記第２回路部とに分割して設けられている。
【００３５】
すなわち、本体モジュールＢ内の第１回路部４は、図２のように前後方向に対向する電源基板３６とインタフェース基板３７と、電源基板３６とインタフェース基板３７とを接続するベース基板３８との３枚の回路基板を備えている。電源基板３６はインタフェース基板３７の後方に配置され、ベース基板３８は電源基板３６およびインタフェース基板３７の下方に配置される。電源基板３６には、図６に示すように電源スイッチＳＷを介して電源端子部６に接続され、内部回路に直流電源を供給する電源部３９（ＡＣ／ＤＣ電源部３９ａおよびＤＣ／ＤＣ電源部３９ｂ）が設けられ、インタフェース基板３７には、図６に示すように信号端子部７に接続され少なくとも信号線の回線電圧に基づいて相手側端末からの呼出を検出する呼出検出機能を有した外部インタフェース部４０が設けられている。ここに、電源端子部６に電源線が接続されている状態では、電源スイッチＳＷのオン時に内部回路に給電され、電源スイッチＳＷのオフ時に内部回路への給電が停止する。電源スイッチＳＷは、電源基板３６に実装されており、インタフェース基板３７に貫設された挿通孔（図示せず）およびカバー２に貫設されたスイッチ用孔４１を通して、本体モジュールＢの前面側に露出する。この電源スイッチＳＷに関しては、後に詳述する。
【００３６】
一方、露出パネルＣ内の第２回路部には、図６に示すように音声入出力部１８および映像表示部１２と外部インタフェース部４０とに接続され、音声信号や映像信号の入出力を行う信号処理部４２と、操作部１４からの操作入力を受け付けて内部回路の各部の動作を制御する全体制御部４３とを備えている。信号処理部４２においては、スピーカ１８ａへの音声信号を増幅するスピーカアンプおよびマイクロフォン１８ｂからの音声信号を増幅するマイクアンプを有した音声処理部４４と、相手側端末からの映像信号を復調する復調回路を有し映像表示部１２に映像を表示する映像伝送処理部４５とが設けられている。なお、本実施形態では、信号線に音声信号と映像信号とが多重化されて伝送されている。そのため、信号処理部４２には、音声処理部４４および映像伝送処理部４５と外部インタフェース部４０との間に挿入され、多重化された音声信号と映像信号とを分離する多重分離部４２ａが設けられている。
【００３７】
ところで、露出パネルＣは、本体モジュールＢに装着された状態で本体モジュールＢに設けられた接続手段から電力供給を受ける。具体的に説明すると、本体モジュールＢの前面側に設けられた接続手段としてのモジュール側接触端子４６と、露出パネルＣの背面側に設けられた接続手段としてのパネル側接触端子４７とを接触させることにより、第１回路部４と第２回路部とが互いに電気的に接続され露出パネルＣに電力が供給される。
【００３８】
モジュール側接触端子４６は、図２のように本体モジュールＢ内のベース基板３８に配設されており、カバー２に設けた接触端子孔４８を通して本体モジュールＢの前面側に露出する。モジュール側接触端子４６およびパネル側接触端子４７は本体モジュールＢに露出パネルＣを装着した状態で互いに突き合わされる位置に配設されており、本体モジュールＢに露出パネルＣを装着するだけでモジュール側接触端子４６およびパネル側接触端子４７が互いに接触することにより第１回路部４と第２回路部との電気的接続が完了する。したがって、本体モジュールＢに露出パネルＣを装着する作業と第１回路部４および第２回路部の接続作業とを別々に行う場合に比べて、作業性が向上する。
【００３９】
また、本実施形態の通話端末Ａは、露出パネルＣがそれぞれ異なる複数種類の露出パネルＣの中から択一的に選択可能であって、本体モジュールＢがこれら複数種類の露出パネルＣに共用される。具体的に説明すると、露出パネルＣには、音声入出力部１８や映像表示部１２や信号処理部４２や操作部１４や全体制御部４３のように、通話端末Ａの機能に応じて適宜変更される構成が集約され、一方、本体モジュールＢには、電源端子部６や電源部３９や信号端子部７や外部インタフェース部４０のように、通話端末Ａの機能によらず共通する構成が集約されている。さらに、複数種類の露出パネルＣにおいて、取付手段としての引掛穴２９および係合爪１９の構成と、接続手段としてのパネル側接触端子４７の構成との両方を共通の仕様としてある。
【００４０】
複数種類の露出パネルＣの例としては、たとえば、上述した構成の露出パネルＣに対して、映像を録画・再生する機能を追加した露出パネルＣや、映像表示部１２の画面サイズを大きくあるいは小さくした露出パネルＣなどがある。すなわち、共通の本体モジュールＢに対して複数種類の露出パネルＣを択一的に選択して装着することによって、それぞれ機能の異なる複数種類の通話端末Ａを実現することができる。
【００４１】
上述した構成によれば、通話端末Ａが、本体モジュールＢと露出パネルＣとに分割されているので、本体モジュールＢと露出パネルＣとを別々に交換することができ、また複数種類の露出パネルＣにおいて本体モジュールＢを共用することができるから、本体モジュールＢに装着する露出パネルＣを別の種類の露出パネルＣに交換するだけで、通話端末Ａにおける録画・再生機能の有無や画面サイズなどを容易に変更することができ、通話端末Ａ全体を交換する必要はない。ここで、露出パネルＣは本体モジュールＢに着脱可能に装着されているので露出パネルＣの交換は容易に行うことができる。また、各種の露出パネルＣごとに個別に本体モジュールＢを用意する必要がないので、多様な機能の通話端末Ａを提供しながらも、本体モジュールＢの開発、製造にかかるコストを低コストに抑えることができる。しかも、本実施形態では音声処理や映像処理に関する機能を露出パネルＣに集約しているので、露出パネルＣと本体モジュールＢとの間の電気的接続を行う接続線数（つまり、モジュール側接触端子４６およびパネル側接触端子４７の各端子数）を比較的少なく抑えることができるという利点もある。
【００４２】
ところで、上述した電源スイッチＳＷは内部回路への給電をオンオフするものであるから、この電源スイッチＳＷがオンの期間に接続手段としてのモジュール側接触端子４６に通電され、電源スイッチＳＷがオフの期間にはモジュール側接触端子４６への通電が停止する。ここにおいて、本実施形態の電源スイッチＳＷは、図１に示すようにヒンジレバー形の操作部５０を有したモーメンタリ型の押釦スイッチからなり、操作部５０に押圧力が作用していない状態では操作部５０の先端部がカバー２のスイッチ用孔４１から器体３の外側に突出するように配設されている。電源スイッチＳＷは、操作部５０に押圧力が作用しておらず操作部５０の先端部がカバー２のスイッチ用孔４１から突出している状態ではオフであって、操作部５０に押圧力が作用し操作部５０がスイッチ用孔４１内に押し込まれた状態ではオンとなる。
【００４３】
ここで、露出パネルＣには、露出パネルＣを本体モジュールＢに装着した状態で電源スイッチＳＷをオンすることができ、露出パネルＣを本体モジュールＢから脱着することで電源スイッチＳＷをオフにする電源操作手段が設けられている。本実施形態では、露出パネルＣの背面側における電源スイッチＳＷとの対向部位を電源操作手段としての電源操作部５１とし、露出パネルＣを本体モジュールＢに装着することで電源スイッチＳＷの操作部５０を電源操作部５１で押圧する。すなわち、露出パネルＣを本体モジュールＢに装着した状態では、図１のように電源操作部５１が電源スイッチＳＷの操作部５０をスイッチ用孔４１内に押し込むことにより電源スイッチＳＷがオンし、一方、露出パネルＣを本体モジュールＢから脱着した状態では、図３のように電源操作部５１による電源スイッチＳＷの操作部５０の押操作が解除され電源スイッチＳＷがオフする。
【００４４】
したがって、露出パネルＣを本体モジュールＢから脱着した状態では電源スイッチＳＷはオフであって、接続手段としてのモジュール側接触端子４６への通電は停止されることになる。そのため、通電された状態のモジュール側接触端子４６が露出することはない。
【００４５】
なお、通話端末Ａが、本実施形態の本体モジュールＢおよび露出パネルＣのように分割可能でない場合においては、たとえば図７（ａ）に示すように電源スイッチＳＷを操作ハンドル１５の奥に配設し、操作ハンドル１５を外した状態で電源スイッチＳＷを操作可能とすることが考えられる。ただし、この構成では、操作ハンドル１５を外した状態で電源スイッチＳＷを露出させるために、図７（ｂ）のように操作ハンドル１５と共に操作部１４を構成するスイッチや映像表示部１２などが実装されたパネル基板５２のうち、電源スイッチＳＷに対応する部分に切欠５２ａを形成しなければならず、パネル基板５２上の各部品の配置が切欠５２ａにより制限されてしまうので、この構成に比べて、本実施形態では露出パネルＣ内の各部品の配置の自由度が高いという利点がある。
【００４６】
次に、上述した通話端末Ａを壁に取り付ける手順について図３を参照して説明する。まず本体モジュールＢに電源線および信号線を挿入接続したうえで、スイッチボックスＳＢに対して本体モジュールＢを取付ねじで固定する。それから、プレート枠３０を固定ねじで本体モジュールＢに取り付け、その後、露出パネルＣを本体モジュールＢに装着する。そして、化粧カバー３１をプレート枠３０に装着すれば、取付作業は完了する。なお、この取付作業は、本体モジュールＢがスイッチ本体に相当し露出パネルＣがスイッチハンドルに相当すると考えれば、埋込型の壁スイッチの取付作業に類似するから、この通話端末Ａは壁スイッチと同様、比較的簡単に取り付けられる。なお、図３の例では、露出パネルＣの上端縁から上方に突出する規制片４９を設け、化粧カバー３１を規制片４９に重ねて装着することにより、化粧カバー３１をプレート枠３０から外さなければ露出パネルＣを本体モジュールＢから脱着できない構造としている。
【００４７】
ここにおいて、上述したように本体モジュールＢの鉤片２７の先端部を露出パネルＣの引掛穴２９に挿入した状態で、露出パネルＣの上端部を本体モジュールＢ側に押し付けて露出パネルＣの係合爪１９を本体モジュールＢの係合孔２８に係合させることで、露出パネルＣが本体モジュールＢに装着される。要するに、本体モジュールＢの鉤片２７は、露出パネルＣを装着する際に露出パネルＣの一部に引っ掛かることで、図８に示すように本体モジュールＢの前面の一辺（下端縁）周りの露出パネルＣの回転の支点となる支点部として機能する。ここで、本実施形態では、モジュール側接触端子４６は本体モジュールＢの前面において前記一辺（下端縁）寄りに配設され、電源スイッチＳＷは本体モジュールＢの前面において前記一辺と対向する他辺（上端縁）寄りに配設されている。
【００４８】
したがって、露出パネルＣを本体モジュールＢから脱着する際には、電源操作部５１により電源スイッチＳＷがオフされモジュール側接触端子４６への通電が停止された後で、モジュール側接触端子４６とパネル側接触端子４７との電気的接続が解除されることになり、モジュール側接触端子４６とパネル側接触端子４７との電気的接続の解除時にアークが発生する等の不具合を回避することができる。一方、露出パネルＣを本体モジュールＢに装着する際には、モジュール側接触端子４６とパネル側接触端子４７とが互いに電気的に接続された後で、電源操作部５１により電源スイッチＳＷがオンされモジュール側接触端子４６に通電が開始されるので、モジュール側接触端子４６とパネル側接触端子４７との接続時にアークが発生する等の不具合を回避できる。
【００４９】
なお、図９に示すように、本体モジュールＢにおける鉤片２７を上側の取付板２４に配設し、係合孔２８を下側の取付板２４に配設し、且つ露出パネルＣにおける引掛穴２９を背面側の上端部に形成し、係合爪１９を背面側の下端部に形成する場合には、露出パネルＣを本体モジュールＢに装着する際に、本体モジュールＢの前面の上端縁周りに露出パネルＣが回転する。したがって、図９の場合には、モジュール側接触端子４６を本体モジュールＢの前面の上端縁寄りに配設し、電源スイッチＳＷを本体モジュールＢの前面の下端縁寄りに配設することが望ましい。
【００５０】
上述した構成の通話端末Ａを相手側端末と共に用いることにより構築されるインターホンシステムの動作について、以下に簡単に説明する。
【００５１】
通話端末Ａは、来訪者により相手側端末からの呼び出しがあった場合に、相手側端末からの呼出音をスピーカ１８ａで出力するとともに相手側端末のカメラで撮像された映像を映像表示部１２に表示する。そして、通話用の操作ハンドル１５を押操作すると通話端末Ａにおいて相手側端末との通話が可能な状態になる。通話用の操作ハンドル１５を再度押操作すれば相手側端末との通話を終了する。
【００５２】
なお、本実施形態では、通話端末Ａを壁に取り付けるために、スイッチボックスＳＢを用いる例を示したが、この構成に限るものではなく、スイッチボックスＳＢ以外の専用部材（たとえば埋込型の配線器具用の取付時に用いられる挟み金具）を用いて通話端末Ａを壁に取り付けるようにしてもよい。
【００５３】
また、本実施形態では取付手段として、本体モジュールＢに鉤片２７および係合孔２８を設け、露出パネルＣに引掛穴２９および係合爪１９を設ける例を示したが、この構成は一例に過ぎず、互いに係合することで本体モジュールＢに露出パネルＣを装着する取付手段が本体モジュールＢと露出パネルＣとのそれぞれに設けられていればよく、たとえば本体モジュールＢに引掛穴および係合爪を設け、露出パネルＣに鉤片および係合孔を設けてもよい。
【００５４】
（実施形態２）
本実施形態の通話端末Ａは、図１０に示すように、電源スイッチＳＷが本体モジュールＢの前面に沿って上下方向（図１０の左右方向）にスライドする操作部５０を有したスライドスイッチであって、露出パネルＣの背面側において電源スイッチＳＷとの対向部位に凹設されて操作部５０が挿入される凹部５３を電源操作手段としている点が実施形態１の通話端末Ａと相違する。
【００５５】
本実施形態では、本体モジュールＢと露出パネルＣとのそれぞれにおける取付手段の構造も実施形態１とは異なり、露出パネルＣは、本体モジュールＢの前面に沿って電源スイッチＳＷをオンさせる方向にスライドさせられることで本体モジュールＢに装着され、本体モジュールＢの前面に沿って電源スイッチＳＷをオフさせる方向にスライドさせられることで本体モジュールＢから脱着されるように取付手段が構成されている。したがって、露出パネルＣを本体モジュールＢに装着するときには、電源スイッチＳＷの操作部５０が凹部５３に凹凸嵌合した状態で露出パネルＣがスライドさせられることによって電源スイッチＳＷがオンし、一方、露出パネルＣを本体モジュールから脱着するときには、電源スイッチＳＷの操作部５０が凹部５３に凹凸嵌合した状態で露出パネルＣがスライドさせられることによって電源スイッチＳＷがオフする。
【００５６】
その他の構成および機能は実施形態１と同様である。
【００５７】
（実施形態３）
本実施形態の通話端末Ａは、図１１に示すように、露出パネルＣのうち本体モジュールＢへの取付手段を具備したパネル本体５４とは別体であって、露出パネルＣを本体モジュールＢに装着した状態で電源スイッチＳＷの操作部５０を押圧する位置と押圧しない位置との間でパネル本体５４に対して移動するように操作される操作子５５を電源操作手段としている点が実施形態１の通話端末Ａと相違する。
【００５８】
本実施形態の操作子５５は、本体モジュールＢの前面に沿って上下方向（図１１の左右方向）にスライドすることでパネル本体５４に設けたスライド溝５６に対して挿抜される。電源スイッチＳＷの操作部５０の先端部は前方に凸となる弧状に湾曲しており、操作子５５がスライド溝５６に挿入された状態では操作部５０の先端部が操作子５５に押圧されスライド溝５６から押し出されることで電源スイッチＳＷはオンし、操作子５５がスライド溝５６から抜かれた状態では操作部５０の先端部がスライド溝５６内に復帰することで電源スイッチＳＷはオフする。ここにおいて、電源スイッチＳＷの操作部５０の移動方向（前後方向）と操作子５５の移動方向（上下方向）とは異なっているから、操作子５５は電源スイッチＳＷの操作部５０を押圧した状態で、操作部５０に押し戻されることなく電源スイッチＳＷをオンに保持する。
【００５９】
この構成によれば、操作子５５をパネル本体５４に対して移動させることで電源スイッチＳＷをオンオフできるので、露出パネルＣを本体モジュールＢに装着した状態でも電源スイッチＳＷをオンオフ操作することができ、露出パネルＣを脱着しなくても必要に応じて電源スイッチＳＷをオフすることができる。
【００６０】
その他の構成および機能は実施形態１と同様である。
【００６１】
（実施形態４）
本実施形態の通話端末Ａは、図１２に示すように、電源スイッチＳＷが本体モジュールＢの前面に沿って上下方向（図１２の左右方向）にスライドする操作部５０を有したスライドスイッチであって、操作子５５に電源スイッチＳＷの操作部５０が挿入される操作孔（図示せず）を設けた点が実施形態３の通話端末Ａと相違する。
【００６２】
本実施形態の操作子５５は、露出パネルＣを本体モジュールＢに装着し電源スイッチＳＷの操作部５０に操作孔を凹凸嵌合させた状態で、本体モジュールＢの前面に沿ってスライド溝５６に対して挿抜されることにより、電源スイッチＳＷをオンする位置とオフする位置との間でパネル本体５４に対して移動する。ここで、操作子５５が電源スイッチＳＷをオンする位置にある状態では露出パネルＣを本体モジュールＢから脱着できないように脱着禁止手段が設けられている。要するに、露出パネルＣを本体モジュールＢから脱着するときには、電源スイッチＳＷをオフする位置に操作子５５を移動させる必要がある。脱着禁止手段は、たとえば電源スイッチＳＷをオンする位置にある操作子５５の一部に係合する構造を本体モジュールＢに設けることで実現できる。
【００６３】
その他の構成および機能は実施形態３と同様である。
【００６４】
（実施形態５）
本実施形態の通話端末Ａは、図１３に示すように、壁内に埋め込まれることなく壁面に背面を対向させる形で壁に固定される露出型の本体モジュールＢを備えた点が実施形態１ないし実施形態４のいずれかに記載の通話端末Ａと相違する。
【００６５】
すなわち、実施形態１〜４においては壁内に後部を収める形で壁に固定される埋込モジュールからなる本体モジュールＢを採用した通話端末Ａについて説明したが、本実施形態の通話端末Ａは、壁内に埋め込まれることなく壁に取り付けられる露出型の本体モジュールＢを採用している。
【００６６】
図１３の例では、本体モジュールＢが前面を露出パネルＣより小さい矩形状とし且つ露出パネルＣより薄型の薄箱状に形成された器体３を備えるとともに、露出パネルＣの背面側には本体モジュールＢの器体３の外形に合わせて形成された収容凹部５７が開口しており、露出パネルＣの収容凹部５７に本体モジュールＢの器体３を嵌め込むことにより露出パネルＣが本体モジュールＢに装着される。ここで、収容凹部５７の底面には接続手段となるパネル側接触端子４７が配置され、且つ本体モジュールＢの前面においてパネル側接触端子４７と対向する部位には接続手段となるモジュール側接触端子４６が配置されており、本体モジュールＢに露出パネルＣを装着するだけでモジュール側接触端子４６およびパネル側接触端子４７が互いに接触することにより第１回路部４と第２回路部との電気的接続が完了する。また、収容凹部５７の底面を除く内側面には、本体モジュールＢの外周面に形成された取付手段としての取着爪（図示せず）が係合する取着穴（図示せず）が取付手段として形成される。なお、図示例の収容凹部５７は下方に開放されている。
【００６７】
以上説明した構成によれば、たとえば壁の材質や壁内に存在する柱の配置などに起因した制約を受けることにより埋込型の本体モジュールＢを設置できないような場所でも、本実施形態の露出型の本体モジュールＢであれば設置可能となる場合があり、結果的に、通話端末Ａの配置の自由度が向上するという利点がある。
【００６８】
その他の構成および機能は実施形態１ないし実施形態４のいずれかに記載の通話端末Ａと同様である。
【００６９】
なお、上述した各実施形態では、本発明の通話端末Ａの一例として、相手側端末のカメラで撮影された映像を表示する機能を有した通話端末Ａを例示したが、本発明の通話端末Ａに映像を表示する機能は必須ではなく、単に相手側端末との間で通話が可能な通話端末Ａであればよい。また、本発明を適用する通話端末Ａは、上述した各実施形態のように子機端末と共にインターホンシステムを構築するものに限らず、たとえば公衆回線を介して相手側通話端末と通話が可能な電話などであってもよい。
【図面の簡単な説明】
【００７０】
【図１】本発明の実施形態１の構成を示す概略断面図である。
【図２】同上の分解斜視図である。
【図３】同上の取付例を示す分解斜視図である。
【図４】同上の構成を示し、（ａ）は正面図、（ｂ）は（ａ）のＸ−Ｘ断面図、（ｃ）は（ｂ）の要部Ｚの拡大図である。
【図５】同上の構成を示し、（ａ）は図４（ａ）のＹ−Ｙ断面図、（ｂ）は（ａ）の要部Ｚの拡大図である
【図６】同上の構成を示すブロック図である。
【図７】同上の他の構成を示し、（ａ）は斜視図、（ｂ）は概略断面図である。同上の露出パネルと本体モジュールの組み合わせ例を示す概略図である。
【図８】同上の構成を示す斜視図である。
【図９】同上の他の構成を示す斜視図である。
【図１０】本発明の実施形態２の構成を示す概略断面図である。
【図１１】本発明の実施形態３の構成を示し、（ａ）は概略断面図、（ｂ）は化粧カバーを外した状態の斜視図である。
【図１２】本発明の実施形態４の構成を示す概略断面図である。
【図１３】本発明の実施形態５の構成を示し、（ａ）は前面側から見た斜視図、（ｂ）は背面側から見た斜視図である。
【符号の説明】
【００７１】
４６  モジュール側接触端子（接続手段）
５０  操作部
５１  電源操作部（電源操作手段）
５３  凹部（電源操作手段）
５４  パネル本体
５５  操作子（電源操作手段）
Ａ  通話端末
Ｂ  本体モジュール
Ｃ  露出パネル
ＳＷ  電源スイッチ
【図１】
2008178077.tif 000003
【図２】
2008178077.tif 000004
【図３】
2008178077.tif 000005
【図４】
2008178077.tif 000006
【図５】
2008178077.tif 000007
【図６】
2008178077.tif 000008
【図７】
2008178077.tif 000009
【図８】
2008178077.tif 000010
【図９】
2008178077.tif 000011
【図１０】
2008178077.tif 000012
【図１１】
2008178077.tif 000013
【図１２】
2008178077.tif 000014
【図１３】
2008178077.tif 000015